(57)【要約】【課題】非常に狭い作業空間において、ビス等を捩じ込んだり緩めたりするのに使用されると共に、ボルト、ナット類の締め付けにも兼用することができるラチェットドライバーを提供する。【解決手段】レバー１の少なくとも一端に設けたラチェット機構を有するレンチ部２に、ビット３を着脱自在に取り付けたホルダーソケット４を着脱自在に装着したものとし、このホルダーソケット４をラチェット機構により正逆回転可能なものとし、さらに前記レバー１の下側において、ホルダーソケット４の側部に早回し用の摘体５を取り付けたものとしている。【選択図】図１
0003122984.tif 000002
【実用新案登録請求の範囲】
【請求項１】
レバー（１）の少なくとも一端に設けたラチェット機構を有するレンチ部（２）に、ビット（３）を着脱自在に取り付けたホルダーソケット（４）を着脱自在に装着したものとし、このホルダーソケット（４）をラチェット機構により正逆回転可能なものとし、さらに前記レバー（１）の下側において、ホルダーソケット（４）の側部に早回し用の摘体（５）を取り付けたことを特徴とするラチェットドライバー。
【請求項２】
前記ホルダーソケット（４）を、角柱形状とした装着部（６）を有し、この装着部（６）の上部全周に装着溝（６ａ）が形成され、この装着溝（６ａ）にはラチェット内歯（２ａ）への止めリング（７）が装着され、装着部（６）の下方に前記摘体（５）を取り付けたものとし、この装着部（６）から摘体（５）にかけてビット（３）の装着穴（８）が貫通形成されると共に、この装着穴（８）の下部の内周に凹溝（９）が形成されたものとし、さらにこの凹溝（９）にはビット（３）の止めばね（１０）が装着されたものとしたことを特徴とする請求項１記載のラチェットドライバー。
【請求項３】
ホルダーソケット（４）の装着穴（８）に挿入可能とした突起部（１１）を有すると共に、各種のビット（３）を着脱自在に保持する保持穴（１２）を有したビットホルダー（１３）を付属させたものとしたことを特徴とする請求項１または２記載のラチェットドライバー。
【考案の詳細な説明】
【技術分野】
【０００１】
この考案は、非常に狭い作業空間において、ビス等を捩じ込んだり緩めたりするのに使用されるラチェットドライバーに関するものである。
【背景技術】
【０００２】
従来、この種のラチェットドライバーには、例えば図６、７に示したように、レバー２１の先端部において、ビット２２を着脱することのできるビットホルダー２３を直角方向に軸支したものとすると共に、このビットホルダー２３をラチェット機構２４により正逆回転可能なものとし、さらに前記レバー２１の下側において、ビットホルダー２３の側部に早回し用の摘体２５を取り付けたものが存在する（特許文献１）。
【０００３】
このように構成した従来のラチェットドライバーは、ビットホルダー２３を取り付けたレバー２１の先端部の高さ寸法が非常に小さいものとなるので、非常に狭い作業空間にレバー２１の先端部を差し込むことができるものとなり、この狭い作業空間においてビス等を捩じ込んだり緩めたりする作業を可能なものにしたとしている。
【特許文献１】特開平１１−３３３７４０号公報（第１、３頁、第１、３図）
【考案の開示】
【考案が解決しようとする課題】
【０００４】
ところで、建築工事や電気工事等の作業現場においては、ビス等を捩じ込んだり緩めたりする作業に併せて、ボルト、ナット類の締め付け作業も頻繁に行われる。
【０００５】
しかしながら、上記従来のラチェットドライバーでは、非常に狭い作業空間において、ビス等を捩じ込んだり緩めたりするのに使用することができても、ボルト、ナット類の締め付けには兼用することができないという問題点を有していた。
【０００６】
そこで、この考案は、上記従来の問題点を解決することをその課題としており、非常に狭い作業空間において、ビス等を捩じ込んだり緩めたりするのに使用されると共に、ボルト、ナット類の締め付けにも兼用することができるラチェットドライバーを提供することを目的としてなされたものである。
【課題を解決するための手段】
【０００７】
そのため、この考案のラチェットドライバーは、レバー１の少なくとも一端に設けたラチェット機構を有するレンチ部２に、ビット３を着脱自在に取り付けたホルダーソケット４を着脱自在に装着したものとし、このホルダーソケット４をラチェット機構により正逆回転可能なものとし、さらに前記レバー１の下側において、ホルダーソケット４の側部に早回し用の摘体５を取り付けたものとしている。
【０００８】
そして、この考案のラチェットドライバーは、前記ホルダーソケット４を、角柱形状とした装着部６を有し、この装着部６の上部全周に装着溝６ａが形成され、この装着溝６ａにはラチェット内歯２ａへの止めリング７が装着され、装着部６の下方に前記摘体５を取り付けたものとし、この装着部６から摘体５にかけてビット３の装着穴８が貫通形成されると共に、この装着穴８の下部の内周に凹溝９が形成されたものとし、さらにこの凹溝９にはビット３の止めばね１０が装着されたものとしている。
【０００９】
さらに、この考案のラチェットドライバーは、ホルダーソケット４の装着穴８に挿入可能とした突起部１１を有すると共に、各種のビット３を着脱自在に保持する保持穴１２を有したビットホルダー１３を付属させたものとしている。
【考案の効果】
【００１０】
この考案のラチェットドライバーは、以上に述べたように構成されているので、非常に狭い作業空間において、ビス等を捩じ込んだり緩めたりするのに使用されると共に、ボルト、ナット類の締め付けにも兼用することができるものとなった。
【考案を実施するための最良の形態】
【００１１】
以下、この考案のラチェットドライバーの実施の形態を、図面に基づいて詳細に説明する。
【００１２】
この考案のラチェットドライバーは、図１、２に示したように、レバー１の少なくとも一端に設けたラチェット機構を有するレンチ部２に、ビット３を着脱自在に取り付けたホルダーソケット４を着脱自在に装着したものとし、このホルダーソケット４をラチェット機構により正逆回転可能なものとし、さらに前記レバー１の下側において、ホルダーソケット４の側部に早回し用の摘体５を取り付けたものとしている。
【００１３】
レバー１は、図示したものでは、両端に径の異なるレンチ部２、２を設けたものとしており、いずれか一方のレンチ部２、２に前記ホルダーソケット４が着脱自在に装着されるようにしている。そして、このレバー１は、図示したものでは、両端のレンチ部２、２の近辺を上方向または下方向に少し折り曲げて角度を持たせたものとしているが、真っ直ぐなものにしてもよいことは言うまでもない。
【００１４】
レンチ部２、２は、正逆回転可能としたラチェット内歯２ａ、２ａを設けたものとしている。そして、ラチェット内歯２ａ、２ａは、近辺に設けられたラチェット爪２ｂ、２ｂとの係合具合によって正逆いずれかの方向への回転を可能としている。
【００１５】
ホルダーソケット４は、六角や四角等の角柱形状とした装着部６を有し、この装着部６の上部全周には装着溝６ａが形成されている。そして、この装着溝６ａには、ラチェット内歯２ａ、２ａへの止めリング７が装着されている。また、装着部６の下方には、前記摘体５を取り付けたものとし、この装着部６から摘体５にかけてビット３の装着穴８が貫通形成されると共に、この装着穴８の下部の内周に凹溝９が形成されたものとし、さらにこの凹溝９にはビット３の止めばね１０が装着されたものとしている。
【００１６】
摘体５は、側部にローレット加工をした金属材や硬質の合成樹脂材からなり、無理嵌めしたり、一体加工することにより、ホルダーソケット４の側部に取り付けたものとしている。
【００１７】
さらに、この考案のラチェットドライバーは、ホルダーソケット４の装着穴８に挿入可能とした突起部１１を有すると共に、プラス、マイナス等の各種のビット３を着脱自在に保持する保持穴１２を有したビットホルダー１３を付属させたものとしている。
【００１８】
以上のように構成したこの考案のラチェットドライバーを使用する場合には、レバー１の中間部またはホルダーソケット４を装着していない側の一端を持って、ビス等を捩じ込んだり緩めたりする作業空間にビット３を取り付けたホルダーソケット４を装着した側の一端を入り込ませる。そして、トルクの小さいうちはレバー１を操作することなく、早回し用の摘体５を指先によって回すことにより、ビス等を捩じ込んだり緩めたりし、トルクが大きくなればレバー１を操作することにより、ビス等を捩じ込んだり緩めたりすればよい。
【００１９】
この考案のラチェットドライバーでは、前記早回し用の摘体５を指先によって回す場合に、レバー１の下側においてホルダーソケット４の側部に早回し用の摘体５を取り付けたものとしているため、このレバー１の一端の高さ寸法が小さくなり、しかもこの摘体５を早回しする指先はビット３を取り付けたホルダーソケット４の高さ寸法内に収まり、食み出ることがないので、ビット３を取り付けたホルダーソケット４が入り込む作業空間であれば、早回し用の摘体５を指先によって難なく回すことができるものとなる。
【００２０】
さらに、この考案のラチェットドライバーでは、レバー１の一端からホルダーソケット４を外せば、レンチ部２のラチェット内歯２ａ内にボルトの頭部（図示せず）やナット（図示せず）を嵌め込み、レバー１を操作することにより、これらボルトやナットを捩じ込んだり緩めたりすることができる。また、この考案のラチェットドライバーは、ホルダーソケット４を装着していない側の一端にもラチェット内歯２ａを設けたものとしているので、このラチェット内歯２ａ内にボルトの頭部やナットを嵌め込み、レバー１を操作することにより、これらボルトやナットを捩じ込んだり緩めたりすることもできる。
【００２１】
また、この考案のラチェットドライバーでは、捩じ込んだり緩めたりするビス等の頭部に合わせてビット３を取り替えることができる。前記ビット３を取り替えるには、図５に示したように、ビットホルダー１３に保持された適切なビット３を保持穴１２から引き出し、このビットホルダー１３の突起部１１をホルダーソケット４の装着穴８に上方から挿入して、ビットホルダー１３に取り付けられているビット３の上端を押さえてこのビット３を外す。そして、前記ビットホルダー１３の保持穴１２から引き出したビット３を、ホルダーソケット４の装着穴８に下方から挿入すればよい。
【００２２】
したがって、この考案のラチェットドライバーは、非常に狭い作業空間において、ビス等を捩じ込んだり緩めたりするのに使用することができると共に、ボルト、ナット類の締め付けにも兼用することができるものとなる。
【図面の簡単な説明】
【００２３】
【図１】この考案のラチェットドライバーの一実施形態を示しており、レバーからホルダーソケットを外した状態の斜視図である。
【図２】この考案のラチェットドライバーの一実施形態を示す側面図である。
【図３】この考案のラチェットドライバーのホルダーソケットの断面図である。
【図４】この考案のラチェットドライバーのホルダーソケットにビットを取り付けた状態を示す断面図である。
【図５】この考案のラチェットドライバーのビットホルダーの斜視図である。
【図６】従来のラチェットドライバーの一部を切り欠いて示す側面図である。
【図７】従来のラチェットドライバーの底面図である。
【符号の説明】
【００２４】
１  レバー
２  レンチ部
３  ビット
４  ホルダーソケット
５  摘体
６  装着部
７  止めリング
８  装着穴
９  凹溝
１０  止めばね
１１  突起部
１２  保持穴
１３  ビットホルダー
【図１】
0003122984.tif 000003
【図２】
0003122984.tif 000004
【図３】
0003122984.tif 000005
【図４】
0003122984.tif 000006
【図５】
0003122984.tif 000007
【図６】
0003122984.tif 000008
【図７】
0003122984.tif 000009